(57)【要約】  各々がＣＩＥ  １９７６（Ｌ＊，ａ＊，ｂ＊）Ｄ５０  ２°に従った色空間における色を示す、最大４０の補正フィールドを有するデジタル写真用の色補正カード（１）を提供する。少なくとも３つの補正フィールド（４Ｇ１、４Ｇ２、４Ｇ３）を有する第１の群は、−３０乃至−６０の範囲内にあるａ値及び＋１０乃至＋３０の範囲内にあるｂ値を有する緑色を示し、第２の群（４Ｂ１、４Ｂ２、４Ｂ３）は、−２０乃至＋２０の範囲内にあるａ値及び−３０乃至−６０の範囲内にあるｂ値を有する青色を示し、第３の群（４Ｒ１、４Ｒ２、４Ｒ３）は、＋４０乃至＋６０の範囲内にあるａ値及び−５乃至＋３０の範囲内にあるｂ値を有する赤色を示し、各々の群（４Ｇ１、４Ｇ２、４Ｇ３；４Ｂ１、４Ｂ２、４Ｂ３；４Ｒ１、４Ｒ２、４Ｒ３）におけるそれぞれの補正フィールドは、ａ又はｂの少なくとも１つが、前記群での他の補正フィールドに関する対応する値とは少なくとも５単位異なる色を示す。【選択図】  図1
2013527914.tif 000002
【特許請求の範囲】
【請求項１】
デジタル写真のための色補正カード（１）であって、
前記色補正カードは、指定された前面（２）と後面（３）を備えた印刷可能な基板を含み、
前記前面は、ＣＩＥ  １９７６（Ｌ＊、ａ＊、ｂ＊）Ｄ５０  ２°による色空間で各々が１つの色を呈する、最高で４０の補正フィールドを示し、
多くの補正フィールドは以下のように選択され；前記前面が、
−３０乃至−６０の範囲内のａ値と＋１０乃至＋３０の範囲内のｂ値とを有する前記色空間においてそれぞれの緑色を示す少なくとも３つの補正フィールド（４Ｇ１、４Ｇ２、４Ｇ３）を備えた第１の群、
−２０乃至＋２０の範囲内のａ値と−３０乃至−６０の範囲内のｂ値とを有する前記色空間においてそれぞれの青色を示す少なくとも３つの補正フィールド（４Ｂ１、４Ｂ２、４Ｂ３）を備えた第２の群、
＋４０乃至＋６０の範囲内のａ値と−５乃至＋３０の範囲内のｂ値とを有する前記色空間においてそれぞれの赤色を示す少なくとも３つの補正フィールド（４Ｒ１、４Ｒ２、４Ｒ３）を備えた第３の群を示すように、および、
各群（４Ｇ１、４Ｇ２、４Ｇ３；４Ｂ１、４Ｂ２、４Ｂ３；４Ｒ１、４Ｒ２、４Ｒ３）におけるそれぞれの補正フィールドは、座標ａまたはｂの少なくとも１つにおける値が、同じ群での他の補正フィールドに関する対応する値と少なくとも５単位異なる色を示しており、
それによって、補正フィールドの前記３つの緑、青および赤の色がそれぞれ、各々の色に対するデジタルカメラの感度ピークが見られると予想される領域で選択されることによって、各群でのそれぞれの補正フィールド間の定義されたインターバルを用いて、デジタル写真撮影時に前記色補正カードによって、改善された色補正結果をもたらすことを特徴とする色補正カード。
【請求項２】
補正フィールドの色は色相環における４分円（Ｒ−Ｙ；Ｙ−Ｇ；Ｇ−Ｂ；Ｂ−Ｒ）から選択され、その結果、各４分円からの前記補正フィールドの多くは、第１彩度（Ｃ１）を有する少なくとも１つの第１の色（ＲＹ１；ＹＧ１；ＧＢ１；ＢＲ１）を示し、および、第２彩度（Ｃ２）を有する少なくとも１つの第２の色（ＲＹ２；Ｇ１；ＧＢ２；ＢＲ２）を示し、
ここで、第１彩度（Ｃ１）は第２彩度（Ｃ２）のわずか６０％であることを特徴とする請求項１に記載の色補正カード。
【請求項３】
前記補正フィールドの多くは、中間の色群である赤／緑（ＲＧ１）、青／赤（ＢＲ２）、緑／青（ＧＢ２）からの色を示す、少なくとも２つの補正フィールド（４ＹＧ１、４ＢＲ２、および、４ＧＢ２）を含むことを特徴とする請求項１または２に記載の色補正カード。
【請求項４】
前記補正フィールドの多くは、中間の色群である赤／緑からの色を示す、少なくとも３つの補正フィールドを含むことを特徴とする請求項１乃至３のいずれか１つに記載の色補正カード。
【請求項５】
前記補正カードの多くは、グレースケールを提供する少なくとも３つの補正フィールド４ＢＷ１、４ＢＷ２、４ＢＷ３）を含むことを特徴とする請求項１乃至４のいずれか１つに記載の色補正カード。
【請求項６】
前記色補正カードは、前記補正フィールド（４Ｒ３、４ＧＢ１、４ＲＧ１）の各色（Ｒ３、ＧＢ１、ＲＧ１）に対応する、ＣＩＥ  １９７６（Ｌ＊，ａ＊，ｂ＊）Ｄ５０  ２°に従った「Ｌａｂ値」に関する多くのデータフィールド（５Ｒ３、５ＧＢ１、５ＲＧ１）を示すことを特徴とする請求項１乃至５のいずれかに１つに記載の色補正カード。
【請求項７】
色補正カードは、テキストまたは他の情報に関する少なくとも１つの情報フィールド（６）、（７）を示すことを特徴とする請求項１乃至６のいずれか１つに記載の色補正カード。
【請求項８】
色補正カードの前面（２）は、色補正前にカメラの調節を容易にするため、好ましくは黒と白の円型パターン（８）、（９）、（１０）、（１１）で、角のマーキングを示すことを特徴とする請求項１乃至７のいずれか１つに記載の色補正カード。
【請求項９】
色補正カードは、Ａ４フォーマットまたはそれよりも小さいフォーマットで設計されることを特徴とする請求項１乃至８のいずれか１つに記載の色補正カード。
【請求項１０】
色補正カードは１００グラム未満の重量を有することを特徴とする請求項１乃至９のいずれか１つに記載の色補正カード。
【発明の詳細な説明】
【技術分野】
【０００１】
本発明はデジタル写真のための色補正カードに関する。
【背景技術】
【０００２】
色補正のための様々な道具は、感光性フィルムを用いた従来の写真撮影に関連して長い間使用されてきた。実現しうる最高の仕上がりを達成することができるように、フィルムの選択、カメラおよび照明の調節、カラーフィルターの選択（もし、あれば）、および、現像条件と複写の設定の選択を容易にすることがそのような色補正道具の利点である。いわゆる色補正カード、すなわち、選択された色またはグレーの色調のあらかじめ印刷された補正フィールド（ｃａｒｉｂｒａｔｉｏｎ  ｆｉｅｌｄ）を有する紙または他の適切な材料のストリップ、シートまたはカードは、色補正のためのそのような以前から知られている道具の一種である。意図した被写体に隣接してそのような色補正カードを置くことによって、写真撮影、現像、および／または、複写を容易にする情報が得られ、それによって優れた仕上がりをもたらす。概して、これらの以前から知られている色補正カードは、グレースケールを提供する原色の補正フィールドを有し、それは、空、葉、水などの色、または、異なる肌の色調を表す色といった本質的に異なる色に似るように選択される。したがって、従来の写真撮影のための以前から知られている色補正カードは、写真撮影の予想される被写体の色相（ｈｕｅｓ）にかなり基づいている。
【０００３】
肌の色調を含む追加の補正フィールドと、グレースケールに小さなインクリメントを与える追加の補正フィールドを加えることによって、デジタルカメラによる写真撮影に特に適した色補正カードも近年開発されている。
【０００４】
典型的なデジタルカメラの中には、カメラの画像センサーの画素センサーの前に位置した、カラーフィルターモザイクとも呼ばれるカラーフィルターアレイがある。カラーフィルターアレイのタスクは色情報を得ることである。色情報が必要とされる理由は、一般的に画素センサーが、波長特異性がほとんどないか、または、まったくない光の強さしか検知することができないからである。したがって、画素センサーはそれ自体では、撮影される被写体と色情報を区別することができない。カラーフィルターアレイ中のカラーフィルターが、波長帯によって光をフィルター処理することで、フィルター処理された強度はともに明色に関する情報を提供する。カラーフィルターアレイのもっとも一般的なタイプは、いわゆるＢａｙｅｒフィルターであり、これは、赤、緑および青色の波長領域での光の強さに関する情報を提供する。重なるカラーフィルターアレイを含む画素センサーからの生データは、適切なアルゴリズムを用いることによって、フルカラー画像に変換することができる。
【０００５】
以前から知られている色補正カードを設計する際に、典型的なデジタルカメラの画像センサーは赤、緑および青色の波長領域内での光の強さに関する情報を検知することしかできず、他の色はそれに基づいて計算されるという事実は全く考慮されてこなかった。それぞれの３つの波長領域のためのカラーフィルターは典型的なカラーフィルターアレイにおいて理想的なものではないが、非対称であるため、カラーフィルターの透過率ピークの外側でもかなりの透過率をもたらすことも分かっている。以前から知られている色補正カードの色が、意図した被写体に似るように主として選択されているため、および、デジタルカメラの実際の色感知システムをまったく考慮していないので、信頼性に欠ける色校正結果が達成される。
【発明の概要】
【発明が解決しようとする課題】
【０００６】
したがって、本発明の第１の目的は、色補正カードを提供することであり、補正フィールドの色は、デジタル写真に関連して信頼できる色補正を保証するとともに、結果として、デジタル写真の改善された仕上がりを提供するような方法で選択された。
【課題を解決するための手段】
【０００７】
第１の目的は、請求項１によるデジタル写真のための色補正カードによって達成され、色補正カードは、指定された前面と後面を備えた印刷可能な基板を含み、前記前面は、ＣＩＥ  １９７６（Ｌ＊、ａ＊、ｂ＊）Ｄ５０  ２°に従って各々が色空間で１つの色を呈する、最高で４０の補正フィールドを示し、および、多くの補正フィールドは以下のように選択される；前記前面が、−３０乃至−６０の範囲内のａ値と＋１０乃至＋３０の範囲内のｂ値とを有する前記色空間においてそれぞれの緑色を示す少なくとも３つの補正フィールドを備えた第１の群、−２０乃至＋２０の範囲内のａ値と−３０乃至−６０の範囲内のｂ値とを有する前記色空間においてそれぞれの青色を示す少なくとも３つの補正フィールドを備えた第２の群、＋４０乃至＋６０の範囲内のａ値と−５乃至＋３０の範囲内のｂ値とを有する前記色空間においてそれぞれの赤色を示す少なくとも３つの補正フィールドを備えた第３の群を示し、各群におけるそれぞれの補正フィールドは、座標ａまたはｂの少なくとも１つにおける値が、同じ群での他の補正フィールドに関する対応する値と少なくとも５単位異なる色を示しており、それによって、補正フィールドの前記３つの緑、青および赤の色がそれぞれ、各々の色に対するデジタルカメラの感度ピークが見られると予想される領域で選択されることによって、および、各群でのそれぞれの補正フィールド間の定義されたインターバルを用いて、デジタル写真撮影時に前記色補正カードにより、改善された色補正結果をもたらす。
【０００８】
本発明の他の目的、利点および特徴は、以下の記載から明白になる。
【図面の簡単な説明】
【０００９】
以下では、本発明の多くの実施形態は、たんなる例として、および、添付の概略的な図面と関連して、もっと詳細に記載される。
【図１】本発明の好ましい実施形態による、デジタル写真撮影のための色補正カードの指定された前面を示す。
【図２】図１の色補正カードの後面の概略図である。
【図３】図１の色補正カードの前面の補正フィールドのそれぞれの色について、ＣＩＥ  １９７６（Ｌ＊、ａ＊、ｂ＊）Ｄ５０  ２°に応じた色空間における、ａ−ｂ平面での座標ａおよびｂを示す。
【図４】典型的なデジタルカメラにおける重なるカラーフィルターアレイを備えた画像センサーの、青、緑および赤色それぞれに対する相対スペクトル感度の概略図である。
【００１０】
付録１は、本発明に応じて色補正カードの製品サンプルである。
【発明を実施するための形態】
【００１１】
図１は、本発明の好ましい実施形態に応じた、デジタル写真のための色補正カードの概略図である。色補正カード（１）は、紙、プラスチックでコーティングされた紙、プラスチック材料などの印刷可能な基板を含む。色補正カードは、図１に示される前面（２）と、図２に示される後面（３）を有する。
【００１２】
示された実施形態では、補正カードの前面（２）は、７行と５列で配された３５の補正フィールドを示す。しかしながら、色補正カードが最大で４０の補正フィールド示す本発明の実施形態では、それは本発明による色補正カードによって適切な色補正に十分であると考えられる。さらに、それは、色補正カードが図１に示されている３５の補正フィールドよりも少ない本発明の実施形態でも可能である。
【００１３】
色補正カードの前面（２）の補正フィールドの各々は、すべての色が定義可能なＣＩＥ  １９７６（Ｌ＊、ａ＊、ｂ＊）Ｄ５０  ２°に従った色空間で色を示す。本発明によれば、デジタル写真撮影での色補正の結果の大幅な改善をもたらすように、すなわち、３つの補正フィールド４Ｇ１、４Ｇ２、４Ｇ３を備えた第１の群が、−３０乃至−６０の範囲内のａ値と＋１０乃至＋３０の範囲内のｂ値とを有する前記色空間においてそれぞれの緑色を示し、少なくとも３つの補正フィールド４Ｂ１、４Ｂ２、４Ｂ３を備えた第２の群が、−２０乃至＋２０の範囲内のａ値と−３０乃至−６０の範囲内のｂ値とを有する前記色空間においてそれぞれの青色を示し、少なくとも３つの補正フィールド４Ｒ１、４Ｒ２、４Ｒ３を備えた第３の群が、＋４０乃至＋６０の範囲内のａ値と−５乃至＋３０の範囲内のｂ値とを有する前記色空間においてそれぞれの赤色を示し、ここで、各々の群４Ｇ１、４Ｇ２、４Ｇ３、４Ｂ１、４Ｂ２、４Ｂ３、４Ｒ１、４Ｒ２、４Ｒ３でのそれぞれの補正フィールドは、座標ａまたはｂの少なくとも１つにおける値が、同じ群での他の補正フィールドに関する対応する値とは少なくとも５単位異なる色を示すように、多くの補正フィールドは選択された。そのようにして、各々の色に対するデジタルカメラの感度ピークが見られると予想される領域における補正フィールドについて、３つの緑、青および赤の色を選択することによって、および、各群でのそれぞれの補正フィールド間の定義されたインターバルを用いて、予想される写真撮影の被写体に基づいて色が選択されてきた従来の色補正カードと比較して、本発明による色補正カードによって、色補正結果が大幅に改善される。
【００１４】
図２の参照名称５Ｇ１、５Ｇ２、５Ｇ３、５Ｂ１、５Ｂ２、５Ｂ３及び５Ｒ１、５Ｒ２、５Ｒ３は、上述の色補正フィールドの群に関し、スペクトルデータから計算されるＣＩＥ  １９７６（Ｌ＊，ａ＊，ｂ＊）Ｄ５０  ２°に従った「Ｌａｂ値」でデータフィールドを示す。この色空間は、一般的に当該技術分野において知られ、参照目的のためデバイス非依存モデルとして機能するために作られる。図２のデータフィールド５Ｇ１、５Ｇ２、５Ｇ３；５Ｂ１、５Ｂ２、５Ｂ３；５Ｒ１、５Ｒ２、５Ｒ３中の「Ｌａｂ値」は、従って、図１の色補正カードの前面にある補正フィールド４Ｇ１、４Ｇ２、４Ｇ３；４Ｂ１、４Ｂ２、４Ｂ３；４Ｒ１、４Ｒ２、４Ｒ３の各色を定義する。本明細書と図面において、それぞれ本明細書で直接言及されるそれら補正フィールド及びデータフィールドのみ、又は本明細書で言及される対応する補正フィールドを定義するのに必要なそれらデータフィールドは、参照名称と共に提供され、ここで、数（４）は補正フィールドを指し、数（５）はデータフィールドを指す。
【００１５】
図３は、図１の好ましい実施形態に従った色補正カードの前面（２）上にある補正フィールドの全ての色に関する、ａ−ｂ面における座標ａとｂを示す。座標ａ、ｂは、図２の各データフィールドから得られる。本明細書で具体的に言及される色がａ−ｂ面にそれら自体を置く多くの点は、補正フィールド及び対応するデータフィールド各々の参照名称において、下付き文字で示される。従って、図３の参照名称Ｒ３は、ＣＩＥ  １９７６（Ｌ＊，ａ＊，ｂ＊）Ｄ５０  ２°に従った色空間のａ座標及びｂ座標を有する赤色を示し、それは図２のデータフィールド５Ｒ３で指定され、図２の補正フィールド４Ｒ３の内側に概略的に図示される赤色を示す。図３に盛り込まれる他の色のように、色Ｒ３は彩度及び色度Ｃを有し、それらは図３に従ったａ−ｂ面の原点からの距離として定義することができる。図３に盛り込まれる他の色のように、色Ｒ３は色調及び色相も有し、それらは例えば、反時計回りに正のａ−対称軸からの角度Ｈとして定義することができる。図３の図表には、本発明の好ましい実施形態に従った色補正カード上の補正フィールドの色がａ−ｂ面に置かれているが、従って４分円であるＲ−Ｙ（赤−黄）、Ｙ−Ｇ（黄−緑）、Ｇ−Ｂ（緑−青）及びＢ−Ｒ（青−赤）を有する色相環と比較することができる。
【００１６】
本発明に従った色補正カードの好ましい実施形態では、図３で図示されるように、補正フィールドの色はそのような色相環の中の４分円であるＲ−Ｙ；Ｙ−Ｇ；Ｇ−Ｂ；Ｂ−Ｒから選択され、その結果、各４分円からの前記補正フィールドの多くは、第１彩度Ｃ１を有する少なくとも１つの第１の色であるＲＹ１；ＹＧ１；ＧＢ１；ＢＲ１を示し、及び第２彩度Ｃ２を有する少なくとも１つの第２の色であるＲＹ２；Ｇ１；ＧＢ２；ＢＲ２を示し、ここで、第１彩度Ｃ１は第２彩度Ｃ２のわずか６０％である。各４分円中の色を伴う、対となる補正フィールドの間の彩度におけるそのような大きな違いは、デジタルカメラのカラーフィルターのピークから遠く離れた透過率の特定を容易にする。
【００１７】
2013527914.tif 000003
【００１８】
2013527914.tif 000004
【００１９】
別の都合の良い実施形態では、前記補正フィールドの多くは、中間の色群である赤／緑から色を示す、少なくとも３つの補正フィールドを含む。この実施形態は、中間の色領域である赤／緑の色について更に改善された色補正を提供する。
【００２０】
本発明の色補正カードの好ましい実施形態では、前記補正カードの多くは、グレースケールを提供する少なくとも３つの補正フィールド４ＢＷ１、４ＢＷ２、４ＢＷ３（図１を参照）を含み、この実施形態はまた、図２のデータフィールド５ＢＷ１、５ＢＷ２及び５ＢＷ３のそれぞれにおいて対応する「Ｌａｂ値」によって図示される。
【００２１】
好ましくは、図２に示すように、本発明の好ましい実施形態に従った色補正カードは、前記補正フィールド４Ｒ３、４ＧＢ１、４ＲＧ１（図１を参照）の各色Ｒ３、ＧＢ１、ＲＧ１（図３を参照）に対応する、ＣＩＥ  １９７６（Ｌ＊，ａ＊，ｂ＊）Ｄ５０  ２°に従った「Ｌａｂ値」に関する多くのデータフィールド５Ｒ３、５ＧＢ１、５ＲＧ１を示す。これらデータフィールドは、指定された前面とは異なる補正カードの表面上で好ましくは提供され、図３で示すように、最も有利に後面（３）で提供される。しかし、補正フィールドとして同じ面に、又は色補正カードが折り畳まれた小冊子の形で提供される場合の後面とは異なる面にデータフィールドが配される色補正カードの実施形態でも、それは考えることができる。
【００２２】
本発明の１つの都合の良い実施形態では、図２に示すように、色補正カードは、テキスト又は他の情報（例えば、商品名、商品番号、アドレスフィールド、データフィールドにおける内容の仕様書、使用説明書など）に関する少なくとも１つの情報フィールド（６）、（７）を示す。
【００２３】
本発明の好ましい実施形態では、色補正カードの前面（２）には、色補正前にカメラの調節を促進するため、図１に示すように、好ましくは黒と白の円型パターン（８）、（９）、（１０）、（１１）で、角のマーキング（ｃｏｒｎｅｒ  ｍａｒｋｉｎｇｓ）を示す。しかし、そのような角のマーキングが前面よりも色補正カードの異なる面にも提供される実施形態でも、それは考えることができる。角のマーキングは画像内になければならず、構成フィールドの位置を自動的に位置付けるため補正の適用によって使用され、当該位置は、撮影された補正フィールドに関するＲＧＢ値の自動的な測定に必要とされる。
【００２４】
販売、輸送、取り扱い及び保存を促進するため、色補正カードは、Ａ４フォーマット又はそれより小さいフォーマットで特に有利に設計される。更に、低コストの販売を実現するために、色補正カードが１００グラム未満の重量を有する場合に色補正カードは尚更有利である。
【００２５】
前述において、本発明の多くの実施形態は、添付の図面の図に関して記載される。記載の実施形態及び図の詳細は実例として見なされるだけであり、本発明の多くの他の実施形態は以下の請求項の範囲内で可能であることを理解しなければならない。
【００２６】
本特許出願と共に提出された付録１は、本発明に従った色補正カードの製品サンプルである。該製品サンプルは、本明細書で言及され且つ図１においてグレースケールで概略的に図示され、図２のデータフィールドにおける「Ｌａｂ値」によって表され、及び／又は図３のａ−ｂ面で描かれる色を、より良く図示するように意図される。
【図１】
2013527914.tif 000005
【図２】
2013527914.tif 000006
【図３】
2013527914.tif 000007
【図４】
2013527914.tif 000008
【国際調査報告】
2013527914.tif 000009
2013527914.tif 000010
2013527914.tif 000011
2013527914.tif 000012